(57)【特許請求の範囲】
【請求項１】
開閉装置操作ボックスが、開閉可能な蓋と、開閉回路を介して開閉装置を開閉する開ボタンを有し、該開ボタンは前記開閉装置操作ボックスの内部に設けられ、中蓋が回転自在で前記開ボタンを覆う様前記蓋と前記開ボタンの間に設けられ、前記中蓋と前記蓋が一体となって開閉することを特徴とする開閉装置操作ボックス。
【請求項２】
前記中蓋は前記蓋に対して傾斜している請求項１の開閉装置操作ボックス。
【請求項３】
前記開閉装置操作ボックス内部に設けられると共に、前記中蓋が押込まれた時に、該中蓋に当接することで作動する様にマイクロスイッチが設けられ、該マイクロスイッチの作動により、前記開ボタンが、前記開閉回路から切断される様にした請求項１の開閉装置操作ボックス。
【発明の詳細な説明】
【０００１】
【発明の属する技術分野】
本発明は電動式シャッタ、電動式スライドドア等の電動式の開閉装置の操作ボックスに係り、特に操作ボックスの防犯機能の改善に関するものである。
【０００２】
【従来の技術】
電動式シャッタ、電動式スライドドア等、電動開閉装置は押しボタンを操作することにより、開放、閉鎖等を行うものであり、簡単な操作で開閉が行える為、第三者が無用な開閉を行わない様に、或は子供が誤って操作しない様に、或は防犯上の理由等から操作ボタンは操作ボックスに収納されている。
【０００３】
図１３〜図１５により従来の開閉装置操作ボックス１の概略を説明する。
【０００４】
壁面に埋設されたボックス２に枠パネル３が取付けられ、該枠パネル３には蓋４が開閉可能に設けられ、該蓋４には鍵本体５が設けられている。該鍵本体５は鍵プレート１１を有し、該鍵プレート１１が前記ボックス２に対して、係合離脱可能となっている。
【０００５】
前記ボックス２にはスイッチパネル６が設けられ、該スイッチパネル６には開閉装置の開閉に必要なボタンスイッチ、例えば開ボタン７、閉ボタン８、停止ボタン９が設けられている。
【０００６】
開閉装置の開閉操作を行う場合は、鍵（図示せず）を前記鍵本体５に差込み前記鍵プレート１１を回転させ、該鍵プレート１１と前記ボックス２との係合を解き、前記蓋４を開く。
【０００７】
開閉装置を開く場合は、前記開ボタン７を押し、又開閉装置を閉じる場合は、前記閉ボタン８を押す。又、開閉装置を途中で止めたい場合、或は非常停止したい場合は、前記停止ボタン９を押す。
【０００８】
開閉装置の開閉動作は、一般的には朝、夜の限られた時間のみに行われることが多く、通常は、前記蓋４が閉じられ、鍵が掛けられている。
【０００９】
前記開閉装置操作ボックス１は施錠されるので、通常の状態では関係者以外開閉装置の開閉を行うことができない。
【００１０】
【発明が解決しようとする課題】
然し乍ら、近年の犯罪の傾向を考えると、図１６に示す様に、ドリル１２等の工具により前記蓋４に孔を明け、この孔から例えば棒の様なもので、前記開ボタン７を押して開閉装置が開かれる可能性も考えられる。
【００１１】
この為、前記蓋４が開かない様に前記鍵本体５により施錠しても、防犯上十分でない場合もある。
【００１２】
本発明は斯かる実情に鑑み、開閉装置の開閉装置操作ボックスの防犯効果を向上させるものである。
【００１３】
【課題を解決するための手段】
本発明は、開閉装置操作ボックスの蓋の内側に穿孔抑止手段を設けた開閉装置操作ボックスに係り、又前記穿孔抑止手段は、前記蓋に対して回転自在に設けられ、開方向に付勢された中蓋である開閉装置操作ボックスに係り、又前記穿孔抑止手段は、前記蓋の裏面に貼設された補強板である開閉装置操作ボックスに係り、又前記穿孔抑止手段は繊維材質の穿孔抑止体である開閉装置操作ボックスに係り、又前記穿孔抑止手段は開閉装置を開動作させる開ボタンが接続された配線コードであり、該配線コードが切断されると前記開ボタンが開閉装置開閉回路から切断される様にした開閉装置操作ボックスに係り、又前記中蓋によって作動されるマイクロスイッチが設けられ、該マイクロスイッチの作動により開閉装置を開動作させる開ボタンが開閉装置開閉回路から切断される様にした開閉装置操作ボックスに係り、又前記中蓋は前記蓋に対して傾斜可能である開閉装置操作ボックスに係り、更に又開閉装置操作ボックスの蓋の内側に、停止ボタンロック手段を設け、前記蓋の閉じられた状態では開閉装置の停止ボタンが押圧されロックされる様にした開閉装置操作ボックスに係るものである。
【００１４】
【発明の実施の形態】
以下、図面を参照しつつ本発明の実施の形態を説明する。
【００１５】
図１〜図４に於いて第１の実施の形態について説明する。図１〜図４中、図１３に示したものと同等のものには同符号を付し、その説明を省略してある。
【００１６】
ボックス２、枠パネル３、スイッチパネル６等の基本的な構造は上記従来例と同様であるが、本実施の形態に於いては蓋４と一体に開閉される穿孔抑止手段１４を設ける。
【００１７】
該穿孔抑止手段１４について説明する。
【００１８】
内蓋支持金具１５は前記ボックス２の内側面に固着され、前記内蓋支持金具１５に蝶番等の回転連結具１６を介して中蓋１７が設けられ、該中蓋１７は前記蓋４の回転中心の近傍で回転可能に支持され、前記回転連結具１６と一体に設けられたスプリング１８により開方向に付勢されている。
【００１９】
尚、前記内蓋支持金具１５は螺子、又は接着剤、両面テープ等の固定手段により前記ボックス２の内側面に固着されている。特に、接着剤、両面テープ等の固定手段を用いる場合は、既設の開閉装置操作ボックスに追加実施できる。
【００２０】
図３は前記蓋４が閉じられた状態を示している。前記中蓋１７は前記鍵本体５の先端に当接し、前記蓋４に対して傾斜した状態となっている。
【００２１】
前記鍵本体５を操作し、前記鍵プレート１１を前記ボックス２から開放し、前記蓋４を開けると、前記中蓋１７は前記スプリング１８で開方向に付勢されているので、前記鍵本体５と当接した状態で、前記蓋４と一緒に開く。
【００２２】
図４は前記蓋４、中蓋１７が開いた状態を示しているが、前記スイッチパネル６の上方が完全に開放され、前記開ボタン７、閉ボタン８、停止ボタン９の操作が支障なく行える。
【００２３】
図５はドリル１２で前記蓋４に孔を明けた場合を示している。
【００２４】
前記ドリル１２で前記蓋４に孔を明けたとしても、前記中蓋１７が前記開ボタン７の上方を覆っているので、穿設した孔を通して前記開ボタン７を操作することはできない。
【００２５】
更に、前記ドリル１２で前記中蓋１７に孔を穿設する場合について説明する。
【００２６】
該中蓋１７は前記スプリング１８で開方向に付勢されているだけであるので、前記中蓋１７に前記ドリル１２で孔を明けようとすると、前記中蓋１７は２点鎖線の如く押込まれ更に傾斜する。この状態での前記中蓋１７の傾斜角を好ましくは３１°以上に設定する。前記ドリル１２のキリの先端の角度は１１８°であるので、前記中蓋１７が３１°以上傾斜した状態で、孔を明けようとするとキリの先端が前記中蓋１７に接触せず、前記キリの先端が逃げてしまい、前記中蓋１７に孔を明けることはできない。更に、該中蓋１７に孔を明けようとすると、キリに横方向の力が掛り、キリが折損する等して、孔明けに失敗する。
【００２７】
尚、前記中蓋１７を曲面で構成し、曲面の傾斜により前記ドリル１２で前記中蓋１７に孔を明けようとすると、前記ドリル１２のキリが前記中蓋１７の傾斜面により所定の方向、所定の位置に誘導される様にしてもよい。ここで所定の方向とは、例えば前記開ボタン７がない方向であり、又所定の位置としては前記開ボタン７がない位置、閉ボタン８や停止ボタン９の位置或は図示していないが警報ボタンを設け、警報ボタン等の位置に誘導される様にする。
【００２８】
前記閉ボタン８の位置に前記ドリル１２の先端が導かれると、たとえ前記中蓋１７に孔が明いたとしても、押されるのは前記閉ボタン８や停止ボタン９であるので、開閉装置を開放することはできず、又警報ボタンの位置に導かれると、たとえ前記中蓋１７に孔が明いたとしても、押されるのは警報ボタンであるので、防犯警報機が作動する。
【００２９】
前記中蓋１７表面の滑りをよくする為、該中蓋１７の材質を高炭素鋼で材料調質した高硬度のものとする。或は該中蓋１７の表面に硬質ステンレス箔、セラミック板、硬質ガラス板等を貼設してもよい。
【００３０】
尚、前記蓋４に孔を明け、更に、前記ドリル１２の角度を変え、前記中蓋１７に垂直となる様キリを当てれば該中蓋１７に孔を明けることもできるが、内部の状態が分らない状況で適切な対応をとることは難しい。又、操作ボタンとして開ボタン７、閉ボタン８、停止ボタン９の他に補助ボタン（図示せず）を設け、開閉装置を開放する場合のみ、前記開ボタン７と補助ボタンを同時に押さなければ開閉装置が開動作しない様に設定してもよい。補助ボタンを設けることで、たとえ、前記中蓋１７に孔が明けられ、前記開ボタン７が操作されても、前記開閉装置が開くことはない。
【００３１】
一般に、防犯警報機が作動し、警備の者、警察官が現場に到達するのに所定の時間を要し、数分程度の侵入遅延が達せられれば充分に効果がある。
【００３２】
図６は第１の実施の形態の変更例であり、前記内蓋支持金具１５を前記蓋４に固着したものである。
【００３３】
図７は第２の実施の形態を示している。
【００３４】
該第２の実施の形態では、ガーゼの様に織りが緩く容易に繊維、織糸が抜け、或はばらける様な材質の布を所要層、或は不織の綿糸を所要の厚みとしたもの等の繊維材質の穿孔抑止体１９を前記蓋４の裏面に貼設する。
【００３５】
該実施の形態で前記蓋４に前記ドリル１２で孔を穿設した場合、該ドリル１２のキリに前記穿孔抑止体１９が絡みつき、前記ドリル１２の回転を拘束し、止める。又、前記穿孔抑止体１９が前記ボックス２の内部で絡みついているので、前記穿孔抑止体１９をキリから除去することはできず、前記ドリル１２のキリを抜くことができなくなり、前記蓋４に孔を明けたとしても、前記開ボタン７を操作することはできない。
【００３６】
尚、前記穿孔抑止体１９は上記第１の実施の形態と組合わせてもよく、この場合、前記蓋４の裏面又は前記中蓋１７の表面に前記穿孔抑止体１９を貼設する。
【００３７】
図８は第３の実施の形態を示している。
【００３８】
該第３の実施の形態では、前記蓋４の裏面に穿孔抑止体１９の代りに配線コード２１を貼設したものである。該配線コード２１の貼設位置は、前記開ボタン７と対峙する位置とし、前記蓋４に孔が明けられた場合、前記配線コード２１が断線する様に設置している。又、断線を確実にする為該配線コード２１を葛折り状に屈曲させて貼設してもよい。
【００３９】
前記開ボタン７は前記配線コード２１を介して開閉装置開閉回路に接続される配線構成となっており、前記配線コード２１が切断された場合、前記開ボタン７の操作によって開閉装置の開閉ができなくなる様にしたものである。
【００４０】
従って、前記ドリル１２により前記蓋４に孔が明けられ、棒等で前記開ボタン７が操作されたとしても、開閉装置は開放することができない。又、前記配線コード２１が切断されることでベル等の警報装置が作動する様にしてもよい。
【００４１】
図９は第４の実施の形態を示している。
【００４２】
該第４の実施の形態では、上記第１の実施の形態に更に電気的な穿孔抑止手段を設けたものである。
【００４３】
前記スイッチパネル６、又は前記ボックス２の内側面にマイクロスイッチ２２を設けたものであり、該マイクロスイッチ２２は前記中蓋１７が押込まれた時に前記マイクロスイッチ２２を作動させる様にしたものである。
【００４４】
該マイクロスイッチ２２が作動することで、前記開ボタン７と開閉装置開閉回路とを切断する構成となっており、又一旦前記開ボタン７と開閉装置開閉回路が切断されるとリレー等の手段で切断状態が保持される様にもなっている。従って、前記中蓋１７に孔が明けられ、前記開ボタン７が操作されたとしても、開閉装置は開放することができない。
【００４５】
又、前記マイクロスイッチ２２が作動することで、ベル等の警報機を作動させる様にしてもよい。
【００４６】
図１０は第５の実施の形態を示している。
【００４７】
該第５の実施の形態では、停止ボタンロック手段として、前記中蓋１７の停止ボタン９と対向する部分を切抜折曲げ停止ボタンロック部２３とし、前記蓋４が閉じられた状態では前記停止ボタンロック部２３が前記停止ボタン９を押込む様になっている。又、前記中蓋１７は回転可能に開方向に付勢されており、前記蓋４を開くと一緒に開く様になっている。
【００４８】
従って、前記蓋４が閉じられた状態では前記停止ボタン９は前記停止ボタンロック部２３により押された状態でロックされており、前記蓋４に孔を明けて前記開ボタン７を操作しても開閉装置を開くことはできない。又、正常な状態で前記蓋４を開くと前記中蓋１７も開き、前記停止ボタン９のロック状態が解除されるので、開閉装置の開閉操作は支障なく行える。
【００４９】
尚、前記停止ボタンロック部２３は中蓋に設けるのではなく、単独に設け、前記停止ボタンロック部２３が前記蓋４と一体に開閉する様にすればよい。
【００５０】
更に前記中蓋１７、停止ボタンロック部２３は必ずしも一体に開閉する必要はなく、前記蓋４とは個別に開閉できる様にしてもよい。又、更なる防犯性向上の為前記中蓋１７にも別途鍵等を設けてもよい。
【００５１】
図１１、図１２は第６の実施の形態を示している。
【００５２】
該第６の実施の形態では、前記蓋４の裏面に補強板２５を接着剤、或は両面テープ等で接着するものである。
【００５３】
前記補強板２５は蝶番部分が干渉しない様に、切欠２６が設けられると共に前記鍵本体５が貫通する逃げ孔２７が穿設され、更にスペーサの機能を有する脚部２８が折曲げ成形されている。
【００５４】
前記補強板２５を前記蓋４に貼設する場合、前記鍵プレート１１を前記鍵本体５から取外す。一般に該鍵プレート１１はナットで固着されているので、前記蓋４が開放されている状態では容易に取外しが可能である。該蓋４の裏面、又は前記補強板２５に接着剤、或は両面テープを付け、該補強板２５を前記蓋４に接着する。接着後前記鍵プレート１１を前記鍵本体５に取付ける。
【００５５】
前記補強板２５は少なくとも鉄板とし、好ましくは高炭素鋼の鉄板で焼入等材料調質し高硬度としたものを使用する。又、前記脚部２８は前記開ボタン７、閉ボタン８、停止ボタン９の高さより長くしておく。
【００５６】
前記補強板２５が貼設されることで、前記蓋４が補強され、該蓋４の破壊強度が増大する。又前記蓋４を前記ドリル１２で明けたとしても、高硬度の前記補強板２５を簡単に明けることはできない。一般に市販されているドリルの材質は高炭素鋼であるので、前記補強板２５に孔を明けることは困難である。
【００５７】
又、前記ドリル１２で前記蓋４に孔が明けられている時に該蓋４から前記補強板２５が剥がれたとしても、前記鍵プレート１１があるので完全に前記蓋４から外れることはなく、又外れたとしても、前記脚部２８が前記スイッチパネル６に当接し、前記開ボタン７等のボタン類を押すことはできない。前記した様に、数分程度の侵入遅延が達せられれば防犯に充分に効果があり、高硬度の前記補強板２５が前記蓋４に貼設されることで、充分な防犯効果が発揮される。
【００５８】
又、前記補強板２５は孔明けの時間を長引かせればよいので、肉厚の厚い、例えば５mm程度の厚みの鉄板、更に材質として粘りがあり加工性の悪いステンレス鋼等を用いてもよい。或は高硬度材料であるセラミック板等を用いてもよい。尚、前記補強板２５の脚部２８を省略し、前記スイッチパネル６にスペーサ等前記補強板２５とスイッチパネル６間に隙間を形成するものを設けてもよい。又、前記補強板２５に前記脚部２８を一箇所だけ設け、該補強板２５が外れた場合に前記補強板２５が前記スイッチパネル６に当って傾斜する様にしてもよい。更に、前記補強板２５にセラミックコーティングし、或は硬質ガラスやセラミック板等を貼付け、前記ドリル１２が前記補強板２５に対して滑る様にしてもよい。
【００５９】
尚、前記補強板２５は既存の開閉装置操作ボックスに容易に取付けられ、コストを掛けず、既存の開閉装置の防犯効果を増大させることが可能である。
【００６０】
【発明の効果】
以上述べた如く本発明によれば、開閉装置操作ボックスの蓋の内側に穿孔抑止手段を設けたので、開閉装置操作ボックスの蓋に孔を明けたとしても開閉装置開放のボタン操作を行えない、又は操作できる様になる迄時間が掛る等の効果があり、防犯性が向上する。
【図面の簡単な説明】
【図１】本発明の第１の実施の形態を示す外観図斜視図である。
【図２】同前第１の実施の形態を示す蓋を開いた状態の展開斜視図である。
【図３】同前第１の実施の形態を示す断面図である。
【図４】同前第１の実施の形態を示す蓋を開いた状態の断面図である。
【図５】同前第１の実施の形態に於いて、ドリルで孔を明けようとした場合の説明図である。
【図６】第１の実施の形態の変更例を示す断面図である。
【図７】本発明の第２の実施の形態を示す断面図である。
【図８】本発明の第３の実施の形態を示す断面図である。
【図９】本発明の第４の実施の形態を示す断面図である。
【図１０】本発明の第５の実施の形態を示す断面図である。
【図１１】本発明の第６の実施の形態を示す蓋を開いた状態の展開斜視図である。
【図１２】同前第６の実施の形態を示す断面図である。
【図１３】従来例の外観斜視図である。
【図１４】該従来例の展開斜視図である。
【図１５】該従来例の断面図である。
【図１６】該従来例で、ドリルで孔を明けようとした場合の説明図である。
【符号の説明】
１          開閉装置操作ボックス
２          ボックス
５          鍵本体
６          スイッチパネル
１４        穿孔抑止手段
１５        内蓋支持金具
１７        中蓋
１８        スプリング
１９        穿孔抑止体
２１        配線コード
２２        マイクロスイッチ
２３        停止ボタンロック部
２５        補強板
【図１】
0004267878.tif 000002
【図２】
0004267878.tif 000003
【図３】
0004267878.tif 000004
【図４】
0004267878.tif 000005
【図５】
0004267878.tif 000006
【図６】
0004267878.tif 000007
【図７】
0004267878.tif 000008
【図８】
0004267878.tif 000009
【図９】
0004267878.tif 000010
【図１０】
0004267878.tif 000011
【図１１】
0004267878.tif 000012
【図１２】
0004267878.tif 000013
【図１３】
0004267878.tif 000014
【図１４】
0004267878.tif 000015
【図１５】
0004267878.tif 000016
【図１６】
0004267878.tif 000017